(57)【特許請求の範囲】
【請求項１】
合成樹脂製基布に合成樹脂製パイル糸を設定長さになるように植設して芝葉を形成するとともに、合成樹脂製基布の裏面にクッション層としてのアンダーパッドを貼着してなる長尺状の人工芝生を幅方向に複数枚接続して本体人工芝生を形成する方法であって、各人工芝生のアンダーパットの側端縁部を一定幅にわたって剥離すると共に、そのアンダーパットが剥離された各人工芝生の合成樹脂製基布の裏面側側端縁部に補強テープを接着剤により接着し、次いで、隣接する一対の人工芝生の合成樹脂製基布の側端縁を補強テープを通して縫製した後、このアンダーパットが剥離された裏面側側端縁部に、エア通路および該エア通路に連通してその裏面に開口する多数の噴出口を形成したアンダーパッドを接着し、また本体人工芝生の繰り出し側端縁部もしくは少なくとも一方の側端縁部にエア配管を配設し、前記エア配管とエア通路を連通することにより、エア配管に供給された圧力空気をエア通路を経て噴出口から噴出させるようにしたことを特徴とする本体人工芝生の形成方法。
【請求項２】
請求項１記載の本体人工芝生の形成方法によって形成された本体人工芝生のエア配管にエア源を接続し、エア源からの圧力空気をエア配管からアンダーパッドのエア通路を経て噴出口から噴出させ、本体人工芝生をグラウンドとの摩擦を軽減させて巻き取ることを特徴とする本体人工芝生の巻き取り方法。
【発明の詳細な説明】
【０００１】
【発明の属する技術分野】
本発明は、本体人工芝生の形成方法および本体人工芝生の巻き取り方法に関するものである。
【０００２】
【従来の技術】
一般に、人工芝生製グラウンドは、アスファルトやコンクリートなどの下地層に直接もしくはクッション層を介して人工芝生を敷設したもので、多くの屋内外施設に採用されている。ここで、人工芝生は、ポリエステルやポリプロピレンなどの合成樹脂製基布にナイロンやポリプロピレンなどの合成樹脂製パイル糸を設定長さになるように植設して芝葉を形成したものであり、製造設備上の制約から一定幅以上に製造することはできない。したがって、広大な人工芝生製グラウンドを形成する場合は、一定幅の長尺状の人工芝生を設定数枚幅方向に順に敷設する必要がある。
【０００３】
この際、グラウンド面に人工芝生を単に敷設しただけでは負荷が作用すると人工芝生が移動するため、複数枚の長尺状の人工芝生を幅方向に接続して大きな幅の本体人工芝生を形成し、この本体人工芝生によってグラウンド面を覆うようにしている。例えば、実公昭５９−３１７６３号公報に記載されるように、面ファスナーを介して隣接する一対の人工芝生を接続したり、実公平１−４４５６２号公報に記載されるように、溶着フィルムを熱溶着させて接合布によって隣接する一対の人工芝生を接続したり、実開昭６０−９６４０３号公報の従来技術欄に記載されるように、隣接する一対の人工芝生の側端縁を縫製して接続するようにしている。
【０００４】
一方、人工芝生製グラウンドを多目的に活用するためには、目的に応じて本体人工芝生を撤去し、敷設する必要がある。ここで、ファスナーによって接続された本体人工芝生においては、本体人工芝生を構成する各人工芝生毎に巻き取って撤去し、あるいは、繰り出して敷設することから、多くの作業時間を必要とするものである。したがって、人工芝生を分離することなく本体人工芝生をそのまま巻き取って撤去し、あるいは、繰り出して敷設する方式が作業時間を短縮する上で好ましい。この場合、本体人工芝生の巻き取りおよび繰り出しは機械力を利用して行わなければならないことから、本体人工芝生に作用する引っ張り力はその重量に基づく大きなものとなる。
【０００５】
このため、グラウンドにエア源に接続された圧力空気の吹き出し口を形成し、本体人工芝生の巻き取り時に圧力空気を吹き出し口から本体人工芝生の裏面に向けて噴出させ、グラウンドと本体人工芝生との摩擦を軽減させて引っ張り力をより小さくすることが提案されている（例えば、特公平４−１７２４４号公報および米国特許第４３９９９５４号明細書参照）。
【０００６】
【発明が解決しようとする課題】
しかしながら、前述したように、グラウンドから本体人工芝生の裏面に向けて圧力空気を噴出させる方式では、グラウンドによっては採用することができない場合がある。例えば、グラウンドを夏期にプールとして、あるいは、冬季にスケートリンクとしてそれぞれ活用する場合は、水始末の関係でグラウンドに圧力空気の吹き出し口を形成することができないものである。
【０００７】
本発明は、このような問題点に鑑みてなされたもので、グラウンドの種類に関係なくグラウンドとの摩擦を軽減させることのできる本体人工芝生の形成方法を提供するものである。
【０００８】
また、本発明は、グラウンドの種類に関係なくグラウンドとの摩擦を軽減させて本体人工芝生を巻き取ることのできる本体人工芝生の巻き取り方法を提供するものである。
【０００９】
【課題を解決するための手段】
本発明の本体人工芝生の形成方法は、合成樹脂製基布に合成樹脂製パイル糸を設定長さになるように植設して芝葉を形成するとともに、合成樹脂製基布の裏面にクッション層としてのアンダーパッドを貼着してなる長尺状の人工芝生を幅方向に複数枚接続して本体人工芝生を形成する方法であって、各人工芝生のアンダーパットの側端縁部を一定幅にわたって剥離すると共に、そのアンダーパットが剥離された各人工芝生の合成樹脂製基布の裏面側側端縁部に補強テープを接着剤により接着し、次いで、隣接する一対の人工芝生の合成樹脂製基布の側端縁を補強テープを通して縫製した後、このアンダーパットが剥離された裏面側側端縁部に、エア通路および該エア通路に連通してその裏面に開口する多数の噴出口を形成したアンダーパッドを接着し、また本体人工芝生の繰り出し側端縁部もしくは少なくとも一方の側端縁部にエア配管を配設し、前記エア配管とエア通路を連通することにより、エア配管に供給された圧力空気をエア通路を経て噴出口から噴出させるようにしたことを特徴とするものである。
【００１０】
また、本発明の本体人工芝生の巻き取り方法は、前記の本体人工芝生の形成方法によって形成された本体人工芝生のエア配管にエア源を接続し、エア源からの圧力空気をエア配管からアンダーパッドのエア通路を経て噴出口から噴出させ、本体人工芝生をグラウンドとの摩擦を軽減させて巻き取ることを特徴とするものである。
【００１１】
【発明の実施の形態】
以下、本発明の実施例の形態を図面に基づいて説明する。図１には、本発明により形成される本体人工芝生１０が示されており、この本体人工芝生１０は、複数枚の長尺状の人工芝生１の側端縁を順次縫製接続して設定幅に形成されたものである。そして、本体人工芝生１０を構成する各人工芝生１は、ポリエステルやポリプロピレンなどの合成樹脂製基布１１にナイロンやポリプロピレンなどの合成樹脂製パイル糸を設定長さになるように植設して芝葉１２を形成するとともに、合成樹脂製基布１１の裏面にクッション層としてのアンダーパッド１３を熱融着して構成されている。
【００１２】
このような人工芝生１を接続して本体人工芝生１０を形成するには、まず、各人工芝生１のアンダーパッド１３の側端縁部を一定幅にわたって剥離した後（図２参照）、そのアンダーパッド１３が剥離された各人工芝生１の合成樹脂製基布１１の裏面側側端縁部に接着剤を塗布して補強テープＴを接着し（図３参照）、次いで、隣接する一対の人工芝生１，１の合成樹脂製基布１１，１１の側端縁を補強テープＴを通して縫製した後（図４参照）、隣接する一対の人工芝生１，１の合成樹脂製基布１１，１１のアンダーパッド１３が剥離された側端縁部裏面に接着剤を塗布してアンダーパッド１３１を接着するものである（図５参照）。
【００１３】
このように、各人工芝生１の合成樹脂製基布１１の裏面側側端縁部に補強テープＴが接着剤を介して接着され、この補強テープＴを通して隣接する人工芝生１，１の合成樹脂製基布１１，１１の側端縁が縫製糸Ｓによって縫製されていることから、補強テープＴ自身が縫製糸Ｓを支持することができるとともに、硬化した接着剤が合成樹脂製基布１１の側端縁部の織り組織を補強することができ、大きな接続強度を確保することが可能となる。したがって、人工芝生１，１の縫製接続部分に負荷が作用しても、その負荷を確実に支持することが可能となり、人工芝生１の合成樹脂製基布１１の側端縁部の織り組織を乱して接続部に隙間を発生させることを確実に防止することができる。
【００１４】
ここで、接着剤は、競技時の違和感、本体人工芝生１０の巻き取り時の曲げ作用あるいは縫製の作業性を考慮すると、ウレタン系接着剤やゴム系接着剤などの可撓性接着剤が望ましい。
【００１５】
ところで、本体人工芝生１０の繰り出し側端縁部には、図６に示すように、エア配管２が配設されており、このエア配管２は、カプラー２１を介して図示しないエア源と接続できるものである。そして、図７に詳細を示すように、本体人工芝生１０を形成する際、隣接する一対の人工芝生１，１の合成樹脂製基布１１，１１の裏面側側端縁部にわたって接着されたアンダーパッド１３１には、前述したエア配管２に一端が連通されたエア通路１３１ａがその内部の長手方向に形成されており、このエア通路１３１ａは、アンダーパッド１３１の裏面に向けて間隔をおいて開口した多数の噴出口１３１ｂに連通されている。この結果、カプラー２１に図示しないエア源を接続して駆動すれば、エア源からの圧力空気はエア配管２からエア通路１３１ａに供給され、さらに、噴出口１３１ｂから噴出されるものである。
【００１６】
したがって、本体人工芝生１０を巻き取る場合は、前述したように、カプラー２１とエア源とを接続してエア源を駆動させ、エア配管２、エア通路１３１ａを経て噴出口１３１ｂから圧力空気を噴出させた状態で巻き取り装置Ｒ（図６参照）を駆動すれば、噴出口１３１ｂから噴出された圧力空気が本体人工芝生１０をグラウンドから浮き上がらせるように作用することから、摩擦を軽減させることができる。このため、本体人工芝生１０を小さな引っ張り力で巻き取ることができ、少ない動力で巻き取ることができるとともに、本体人工芝生１０に作用する引っ張り力を軽減させることができる。しかも、本体人工芝生１０に圧力空気の通路を形成したことにより、グラウンドの種類に関係なく利用することができるものである。
【００１７】
また、予めエア通路１３１ａおよび噴出口１３１ｂを形成したアンダーパッド１３１を隣接する一対の人工芝生１，１の合成樹脂製基布１１，１１の裏面側側端縁部に接着すればよいことから、隣接する一対の人工芝生１，１を接続する際の一工程を利用して作業することができ、簡単に施工できる利点がある。
【００１８】
なお、前述した実施形態においては、エア通路１３１ａおよび噴出口１３１ｂを形成したアンダーパッド１３１を利用したが、図８に示すように、エア通路１３２ａおよび噴出口１３２ｂを形成した小幅のアンダーパッド１３２をアンダーパッド１３１と接着し、これらの接着されたアンダーパッド１３１，１３２を合成樹脂製基布１１，１１の裏面に接着してもよい。
【００１９】
また、図９に示すように、エア通路として噴出口３ａを形成した可撓製パイプ３をアンダーパッド１３１の裏面に配設して圧力空気を噴出させるようにしてもよい。
【００２０】
さらに、前述した実施形態においては、本体人工芝生１０の長手方向にエア通路１３１ａおよび可撓性パイプ３を形成して例示したが、エア配管２を本体人工芝生１０の左右両側端縁部あるいは左右一方の側端縁部に長手方向にわたって配設し、一端がエア配管２に接続されたエア通路を本体人工芝生１０の幅方向に形成するようにしてもよい。
【００２１】
【発明の効果】
以上のように本発明により形成される本体人工芝生によれば、長尺状の人工芝生を幅方向に複数枚接続して形成された本体人工芝生の繰り出し側端縁部もしくは少なくとも一方の側端縁部にエア配管を配設し、また、アンダーパッドにエア通路および該エア通路に連通してその裏面に開口する多数の噴出口を形成し、前記エア配管とエア通路を連通することにより、エア配管に供給された圧力空気をエア通路を経て噴出口から噴出させることが可能となり、グラウンドの種類に関係なくグラウンドとの摩擦を軽減させることができる。
【００２２】
また、本発明の本体人工芝生の接続方法によれば、複数枚の長尺状の人工芝生が幅方向に接続されて形成された本体人工芝生のエア配管にエア源を接続し、エア源からの圧力空気をエア配管からアンダーパッドのエア通路を経て噴出口から噴出させ、本体人工芝生をグラウンドとの摩擦を軽減させて巻き取ることにより、グラウンドの種類に関係なく巻き取り動力および本体人工芝生に作用する負荷を低減させることができる。
【図面の簡単な説明】
【図１】  本発明により形成される本体人工芝生を示す説明図である。
【図２】  人工芝生の接続方法を説明する施工図である。
【図３】  人工芝生の接続方法を説明する施工図である。
【図４】  人工芝生の接続方法を説明する施工図である。
【図５】  人工芝生の接続方法を説明する施工図である。
【図６】  本発明により形成される本体人工芝生を示す平面図である。
【図７】  図６のＡ−Ａ線断面図である。
【図８】  エア通路の他の実施形態を図７に対応して示す断面図である。
【図９】  エア通路のもう一つの実施形態を図７に対応して示す断面図である。
【符号の説明】
１０  本体人工芝生
１    人工芝生
１１  合成樹脂製基布
１２  芝葉
１３，１３１，１３２  アンダーパッド
１３１ａ，１３２ａ  エア通路
１３１ｂ，１３２ｂ  噴出口
２    エア配管
３    可撓製パイプ
３ａ  噴出口
【図１】
0003665444.tif 000002
【図２】
0003665444.tif 000003
【図３】
0003665444.tif 000004
【図４】
0003665444.tif 000005
【図５】
0003665444.tif 000006
【図６】
0003665444.tif 000007
【図７】
0003665444.tif 000008
【図８】
0003665444.tif 000009
【図９】
0003665444.tif 000010